(57)【要約】【課題】  ネットワークカメラ用プロトコルにより映像信号を出力する監視カメラの撮像映像を、プロトコル変換機器を介在させることなくインターホン親機において表示できるインターホンシステムを提供する。【解決手段】  ＯＮＶＩＦに準拠したプロトコルにより映像信号を出力する監視カメラ３と、監視カメラ３の撮像映像を録画する録画装置４とが通信ネットワーク５を介して接続され、親機ＣＰＵ２５はＯＮＶＩＦに準拠したプロトコルによりリンク先から送信された映像を表示部２４に表示させ、子機ＣＰＵ１５はＯＮＶＩＦに準拠したプロトコルに基づく映像信号を録画装置４及び親機２に送信する。【選択図】  図１
2014229990.tif 000002
【特許請求の範囲】
【請求項１】
居住者を呼び出して通話する機能及び訪問者を撮像するためのカメラを備えたインターホン子機と、前記インターホン子機からの呼出に応答する機能及び前記カメラの撮像映像を表示する表示部を備えたインターホン親機とを有し、機器間が通信ネットワークを介して接続されて成るインターホンシステムであって、
ネットワークカメラ用プロトコルに基づいて映像信号を出力する監視カメラと、前記ネットワークカメラ用プロトコルに基づいて送信された映像を録画する録画装置とがそれぞれ前記通信ネットワークを介して接続され、
前記インターホン子機は、前記ネットワークカメラ用プロトコルに基づいて映像信号を前記録画装置及び前記インターホン親機に送信する子機制御部を有すると共に、前記インターホン親機は、前記ネットワークカメラ用プロトコルに基づくリンク先から送信された映像を前記表示部に表示させる親機制御部を有し、
更に前記インターホン子機と前記インターホン親機とは、ＩＰ電話用プロトコルにより互いに音声信号の送受を実施することを特徴とするインターホンシステム。
【請求項２】
前記インターホン子機の子機制御部は、映像信号の送信と共に前記ネットワークカメラ用プロトコルに基づく音声信号を前記録画装置に送信することを特徴とする請求項１記載のインターホンシステム。
【発明の詳細な説明】
【技術分野】
【０００１】
本発明は、訪問者映像を見ながら居住者が訪問者と通話できるインターホンシステムに関し、特にネットワークを介して接続された監視カメラの映像も見ることができるインターホンシステムに関する。
【背景技術】
【０００２】
従来より、呼び出し／通話機能を備えたインターホン子機、及び通話機能を備えたインターホン親機に加えて、監視カメラをＬＡＮ等の通信ネットワークを介して接続し、防犯性を向上させたインターホンシステムがある。このようなインターホンシステムでは、監視カメラが出力する映像信号のプロトコルとインターホン子機に組み込まれたカメラが送出する映像信号のプロトコルとが異なるため、別途プロトコル変換機器を介在させて監視カメラの撮像映像をインターホン親機で表示可能とした。
例えば、特許文献１のインターホンシステムでは、監視カメラの映像を録画するためのサーバを具備し、そのサーバにプロトコル変換機能を設けて監視カメラから送信された映像のプロトコルを変換してインターホン親機で表示可能とした。
【先行技術文献】
【特許文献】
【０００３】
【特許文献１】特開２０１２−１５６２６号公報
【発明の概要】
【発明が解決しようとする課題】
【０００４】
上記特許文献１の構成の場合、サーバにおいて監視カメラの映像を２４時間継続して録画することも可能であったし、インターホン親機に表示させることもできたため、防犯性の向上を図ることができた。
しかしながら、監視カメラの映像をインターホン親機で表示させるためにサーバにプロトコル変換機能を設ける必要があった。
【０００５】
そこで、本発明はこのような問題点に鑑み、ネットワークカメラ用プロトコルにより映像信号を出力する監視カメラの撮像映像を、プロトコル変換機器を介在させることなくインターホン親機において表示できるインターホンシステムを提供することを目的としている。
【課題を解決するための手段】
【０００６】
上記課題を解決する為に、請求項１の発明は、居住者を呼び出して通話する機能及び訪問者を撮像するためのカメラを備えたインターホン子機と、インターホン子機からの呼出に応答する機能及びカメラの撮像映像を表示する表示部を備えたインターホン親機とを有し、機器間が通信ネットワークを介して接続されて成るインターホンシステムであって、ネットワークカメラ用プロトコルに基づいて映像信号を出力する監視カメラと、ネットワークカメラ用プロトコルに基づいて送信された映像を録画する録画装置とがそれぞれ通信ネットワークを介して接続され、インターホン子機は、ネットワークカメラ用プロトコルに基づいて映像信号を録画装置及びインターホン親機に送信する子機制御部を有すると共に、インターホン親機は、ネットワークカメラ用プロトコルに基づくリンク先から送信された映像を表示部に表示させる親機制御部を有し、更にインターホン子機とインターホン親機とは、ＩＰ電話用プロトコルにより互いに音声信号の送受を実施することを特徴とする。
この構成によれば、インターホン親機がネットワークカメラ用プロトコルに基づく映像を表示部に表示できるため、監視カメラの映像をプロトコル変換機器を介することなくインターホン親機で表示できる。また、インターホン子機はネットワーク用プロトコルに基づく映像信号を送出するので、インターホン子機のカメラ撮像映像をインターホン親機で表示できるし録画装置で録画でき、システム構成の簡易化を図ることができる。
【０００７】
尚、通信ネットワークとは、インターネットや電話網等のＷＡＮや、ビル内等の域内に配設されたＬＡＮを言う。また、ネットワークカメラ用プロトコルとは、ＯＮＶＩＦ（Open Network Video Interface Forum）やＰＳＩＡ（Physical Security Interoperability Alliance）に準拠したネットワークカメラの映像伝送に好適なプロトコルを言い、ＩＰ電話用プロトコルとはＳＩＰ（Session Initiation Protocol）やＨ．３２３等の音声の伝送に好適なプロトコルを言う。
【０００８】
請求項２の発明は、請求項１に記載の構成において、インターホン子機の子機制御部は、映像信号の送信と共に前記ネットワークカメラ用プロトコルに基づく音声信号を録画装置に送信することを特徴とする。
この構成によれば、インターホン子機カメラの撮像映像を録画する際は、同一のプロトコルで音声信号も合わせて送信できるため、映像と共に音声を保存させることが可能であり、来訪者の用件把握やセキュリティの向上に役立つ。
【発明の効果】
【０００９】
本発明によれば、監視カメラの映像をプロトコル変換機器を介することなくインターホン親機で表示でき、システム構成の簡易化を図ることができる。
【図面の簡単な説明】
【００１０】
【図１】本発明に係るインターホンシステムの一例を示す構成図であり、個々の機器を回路ブロック図で示している。
【発明を実施するための形態】
【００１１】
以下、本発明を具体化した実施の形態を、図面を参照して詳細に説明する。図１は本発明に係るインターホンシステムの一例を示す構成図であり、個々の機器を回路ブロック図で示している。１は訪問者が居住者を呼び出して通話するためのインターホン子機（以下、単に「子機」と称する。）、２は子機１からの呼び出しに応答して通話するためのインターホン親機（以下、単に「親機」と称する。）、３は不審者等を撮像するための監視カメラ、４は監視カメラ３の撮像映像を録画するための録画装置であり、各機器はＬＡＮ、或いはインターネットや電話網等のＷＡＮの少なくともいずれかで構成される通信ネットワーク５を介して接続されている。
【００１２】
子機１は、訪問者が親機２を報音させて居住者等を呼び出すための呼出ボタン１１、通話するためのマイク１２及びスピーカ１３、訪問者を撮像するためのカメラ１４、子機１を制御する子機ＣＰＵ１５、親機２及び録画装置４等と通信する子機通信ＩＦ１６等を備えている。子機ＣＰＵ１５は、ＯＮＶＩＦに準拠したプロトコルに基づく映像信号を親機２及び録画装置４へ送信し、ＳＩＰにより親機２との間で音声信号の送受を実施する。更に、ＯＮＶＩＦによる音声を録画装置４へ送信する。
【００１３】
親機２は、子機１からの呼び出しに応答するための操作等の各種操作を実施する操作部２１、通話するためのマイク２２及びスピーカ２３、映像を表示する表示部２４、親機２を制御する親機ＣＰＵ２５、通信ネットワーク５を介して子機１、監視カメラ３、録画装置４等と通信するための親機通信ＩＦ２６等を備えている。親機ＣＰＵ２５は、ＯＮＶＩＦに準拠したプロトコルに基づく映像信号の受信を実施し、ＳＩＰにより音声信号の送受を実施する。
【００１４】
監視カメラ３は、カメラ３１、監視カメラ３を制御する監視カメラＣＰＵ３２、通信ネットワーク５を介して親機２、録画装置４等と通信するための監視カメラ通信ＩＦ３３等を備えている。監視カメラＣＰＵ３２は、ＯＮＶＩＦに準拠したプロトコルに基づいて映像信号の送信を実施する。
【００１５】
録画装置４は、映像を録画する記憶部４１、録画装置４を制御する録画装置ＣＰＵ４２、通信ネットワーク５を介して子機１、親機２、そして監視カメラ３等と通信するための録画装置通信ＩＦ４３等を備えている。録画装置ＣＰＵ４２は、ＯＮＶＩＦに準拠したプロトコルに基づいて映像信号及び音声信号の送受を実施し、記憶部４１への録画及び録音制御を実施する。
【００１６】
上記の如く構成されたインターホンシステムの動作は以下のようである。監視カメラ３は常時撮像を実施し、監視カメラＣＰＵ３２の制御によりＯＮＶＩＦに準拠したプロトコルに基づいて録画装置４とリンクを確立し、マルチキャストのＲＴＰ（real-time  transport protocol）によりカメラ３１の撮像映像（映像信号）が録画装置４に送信される。
映像信号を受信した録画装置４では、録画装置ＣＰＵ４２の制御により受信した映像が記憶部４１に録画される。記憶部４１は、例えば１週間等の所定期間の録画を可能とする容量を有し、録画装置ＣＰＵ４２により所定時間が経過した録画映像から上書きされ、所定時間の映像が常時保存される。
【００１７】
このように動作している状態で、訪問者等により子機１の呼出ボタン１１が操作されて呼び出しが行われると、子機ＣＰＵ１５の制御により親機２にＳＩＰによる呼出信号が送信される。また、子機１のカメラ１４が撮像を開始して、ＯＮＶＩＦに準拠するプロトコルで親機２及び録画装置４とリンクが確立したら、マルチキャストＲＴＰで撮像映像が親機２及び録画装置４に送信される。
【００１８】
子機１から呼出信号を受信した親機２では、親機ＣＰＵ２５の制御によりスピーカ２３から呼出音が報音される。また、リンク確立後、ＲＴＰにより子機１から送信された映像が表示部２４に表示される。
【００１９】
子機１とリンクを確立して映像信号を受信した録画装置４では、録画装置ＣＰＵ４２の制御により受信した映像が記憶部４１に録画される。録画を開始した録画装置４は、監視カメラ３の撮像映像を常時録画する。
【００２０】
呼び出しを受けて、居住者等の応答者により親機２の操作部２１が所定の応答操作されると、ＳＩＰに基づくセッションが確立する。即ち、子機１と親機２の間で通話路が形成されて通話が可能となり、双方のマイク１２，２２から入力された音声信号がユニキャストＲＴＰで送受される。
【００２１】
その後、応答者により親機２の操作部２１が終話操作されると、親機ＣＰＵ２５がセッションを解除して通話路が遮断される。一方、この通話終了をトリガとして、子機ＣＰＵ１５は親機２への映像信号の送信、及び録画装置４への映像信号の送信を終了させて待受状態に戻る。
【００２２】
次に、親機２から監視カメラ３の撮像映像を確認、及び録画装置４に記憶された監視カメラ３及び子機１のカメラ１４の録画映像を確認する動作を説明する。
操作部２１を所定の監視カメラ３の撮像映像表示操作を行えば、ＯＮＶＩＦに準拠したプロトコルに基づくアクセス信号が監視カメラ３に送信される。アクセス信号を受信した監視カメラ３は、リンクが確立された後監視カメラＣＰＵ３２の制御により、マルチキャストのＲＴＰで撮像映像が親機２に送信される。こうして、監視カメラ３の撮像映像が表示部２４に表示される。
【００２３】
また、親機２の操作部２１の操作により、録画装置４にアクセスできる。具体的に、所定のアクセス操作により、ＯＮＶＩＦに準拠したプロトコルに基づくアクセス信号が録画装置４に送信され、リンクが確立したら録画装置ＣＰＵ４２の制御によりマルチキャストのＲＴＰで録画映像が親機２に送信される。こうして、録画装置４の録画映像が表示部２４に表示される。この際、監視カメラ３の録画映像及び子機１のカメラ１４の録画映像のうち何れを表示するかの選択は、操作部２１の所定の操作で実施できる。尚、子機１のカメラ１４の録画映像を表示する場合は、同時に録音された音声も報音される。
【００２４】
このように、親機２がＯＮＶＩＦに準拠したプロトコル基づく映像を表示部２４に表示できるため、監視カメラ３の映像をプロトコル変換機器を介することなく親機２で表示できる。また、子機１はＯＮＶＩＦに準拠したプロトコルに基づく映像信号を送出するので、子機１のカメラ１４の撮像映像を親機２で表示できるし、録画装置４で録画できるので、システム構成の簡易化を図ることができる。
また、子機１から録画装置４に送信される映像のプロトコルと、親機２へ送信する映像プロトコルとは同一であるため、インターホン機器以外に映像を送信する構成であっても通信ネットワーク５上で送信されるデータ量（パケット数）が増加することがなく、データサイズの大きい映像データであってもスムーズに送信できる。
更に、子機１のカメラ１４の撮像映像を録画する際は、同一のプロトコルで音声信号も合わせて送信できるため、映像と共に音声を保存させることができ、来訪者の用件把握やセキュリティの向上に役立つ。
【００２５】
尚、上記実施形態は、監視カメラ３の撮像映像の送信及び子機１のカメラ１４の撮像映像の送信をマルチキャストで実施しているが、これは複数の送信先を想定しているためであり、送信先が上記形態のように少数の機器である場合はユニキャストで送信しても良い。
また、ネットワークカメラに適したプロトコルとしてＯＮＶＩＦに準拠したプロトコルを例に説明したが、他のプロトコルとしてＰＳＩＡに準拠したプロトコルを使用しても良い。更に、ＳＩＰを使用して音声信号の送受を行う構成としたが、ＩＰ電話用プロトコルであれば通話に好適であり、他のプロトコルとして例えばＨ．３２３を使用しても良い。
【符号の説明】
【００２６】
１・・インターホン子機、２・・インターホン親機、３・・監視カメラ、４・・録画装置、５・・通信ネットワーク、１１・・呼出ボタン、１４・・カメラ、１５・・子機ＣＰＵ（子機制御部）、２１・・操作部、２４・・表示部、２５・・親機ＣＰＵ（親機制御部）、２６・・親機通信ＩＦ、３１・・カメラ、３２・・監視カメラＣＰＵ、４１・・記憶部、４２・・録画装置ＣＰＵ。
【図１】
2014229990.tif 000003